(57)【要約】【課題】フィルターエレメントの位置決め、支持機能を損なうことなく、中央集液路の形状を任意に設計でき、その製作、加工が容易なディスクフィルター装置を提供するものであり、詳しくは、ディスクフィルター装置のセンターポストの改良に掛かるものである。【解決手段】センターポストを、中空の外筒と該外筒に嵌挿される中実の内筒とで構成し、外筒には前記ハブの濾液流出口に連なる濾液流入孔を形成し、外筒と内筒の間に中央集液路を形成したことを特徴とするディスクフィルター装置を提供するものである。【選択図】図１
2010125364.tif 000002
【特許請求の範囲】
【請求項１】
濾液流出口をその内周面に有するハブと円板状の濾材とからなるディスクフィルターエレメントを、ケーシング内部に設けたセンターポストにシール材を介して嵌合して積重ね、積重ねられたフィルターエレメントを一体的に締付けて前記センターポストに取付け、ケーシング内に導入される液体を前記フィルターエレメントで濾過し、濾液を前記センターポストに沿って形成される中央集液路に導き、前記ケーシング外に導出するディスクフィルター装置において、
前記センターポストを、中空の外筒と該外筒に嵌挿される中実の内筒とで構成し、前記外筒には前記ハブの濾液流出口に連なる濾液流入孔を形成し、該外筒と前記内筒の間に前記中央集液路を形成したことを特徴とするディスクフィルター装置。
【請求項２】
前記内筒の嵌挿部を、前記外筒に内接する板状体とし、前記中央集液路を２分するようになしたことを特徴とする請求項１記載のディスクフィルター装置。
【請求項３】
前記内筒の嵌挿部の濾液導出端側の先端を、ナイフエッジ状となしたことを特徴とする請求項１又は２に記載のディスクフィルター装置。
【請求項４】
前記内筒の嵌挿部の断面積を濾液導出端に向けて漸減させ、前記中央集液路の断面積を漸増させることを特徴とする請求項１〜３のいずれかに記載のディスクフィルター装置。
【発明の詳細な説明】
【技術分野】
【０００１】
本発明は、液体中の異物を濾過しかつ均斉に混合するディスクフィルターに関し、詳しくはディスクフィルター装置のセンターポストおよび中央集液路の構成の改良にかかるものである。
【背景技術】
【０００２】
従来から、ディスクフィルター装置は、特開平９−３８４２３号公報（特許文献１）、特開平９−１５００１８号公報（特許文献２）、特開２００２−２８３３４４号公報（特許文献３）、特開２００２−３０７５２９号公報（特許文献４）あるいは特開２００８−１８５９８号公報（特許文献５）などに見られるように、耐圧性に優れ、その容積に比して大きな濾過面積を有することなどから、特に、粘調な液体の高圧濾過、例えば、熱可塑性ポリマーの重合の際の最終工程における溶融ポリマーの精密濾過あるいは熱可塑性ポリマーを溶融し、糸条、フィルムあるいはシートなどに溶融押出し成形する際の溶融ポリマーの濾過に広く用いられている。
【０００３】
このディスクフィルター装置は、細部にわたる具体的構造はそれぞれ異なるものの、その基本構成は、内周面に濾液（濾過された液体）の流出口を有するハブとハブの周縁に一体的に取り付けられる円板状の濾材とからなるディスクフィルターエレメント（以下フィルターエレメントという）を、シール材を介してケーシング（あるいはハウジング、筐体といわれる）内部に設けた柱状のセンターポスト（あるいは、センターポール、センターシャフト、支柱、支軸、コアなどといわれる）に嵌挿して積重ね、積重ねられたフィルターエレメントを一体的に締付けて前記センターポストに取付け、ケーシング内に導入される液体をフィルターエレメントで濾過して、濾液をセンターポストに沿って形成される中央集液路からケーシング外に導出する構成となっている。
【０００４】
ハブと円板状の濾材とからなるフィルターエレメントは、実開昭６１−８１５号公報（特許文献６）、実開平６−８１６０７号公報（特許文献７）あるいは特開２００４−２３７１７３号公報（特許文献８）などに示されるように、断面コの字型の円環状ハブあるいは上下のハブリングから構成される中央のハブに円板状の濾材を一体的に取付けたものである。
【０００５】
フィルターエレメントの濾材は、粉体金属あるいは繊維状金属を固めた焼結金属あるいは金属メッシュなどからなる濾材面（フィルターの外表面を構成する）と、濾材面を支持し、補強する支持板あるいはリテーナーとからなる。支持板あるいはリテーナーは、金属多孔板、金属メッシュあるいは濾液流路となる溝を形成した金属板などからなり、ハブの内周面には濾液流出口が開口しており、濾材を透過した濾液は、濾材内部に形成された濾液流路を経て、濾液流出口から中央集液路に吐出される。
【０００６】
ディスクフィルター装置は、上述の各特許文献また特開平９−１７４６６４号公報（特許文献９）、特開平９−１２２４０８号公報（特許文献１０）、特開２００３−２６７２１号公報（特許文献１１）、特開２００１−９２１４号公報（特許文献１２）、特開２００３−１７０４８４号公報（特許文献１３）、ＷＯ２００３／０３１５１６号公報（特許文献１４）あるいは特開２００８−１３３４６２号公報（特許文献１５）などにも記載されているように、各フィルターエレメントを、ガスケット、Ｏ-リングあるいはパッキンなどの各種シール材を介して、円筒状のケーシングの内部中央に取付けられた柱状のセンターポストに嵌合され、積重ねられ、これら積重ねられた複数のフィルターエレメントは、締付け部材によって一体的に締付けられ、センターポストに固定、支持される。
【０００７】
なお、センターポストがケーシングにあらかじめ取付けられている場合は、固定されているセンターポストに順次フィルターエレメントにシール部材を介して積重ねて、これらをセンターポストの軸方向に押付けるごとく一体的に締付け部材（ネジ、ボルト、ナットなど）を用いて、センターポストに取付ける（例えば、特許文献５、特許文献１５）。
【０００８】
また、センターポストと積重ねたフィルターエレメントを同時にケーシングに取付ける場合は、一端にフィルターエレメント係止部（フランジ）を有するセンターポストにフィルターエレメントを嵌合し、このセンターポストの他端をケーシングに貫通させ、ナットなどの締付け部材によりセンターポストを引っ張るごとくケーシングに取付けることもできる（例えば、特許文献１２、特許文献１４）。
【０００９】
そして、ケーシングには、濾過される液体の導入口が設けられ、ケーシングと、センターポストまた各フィルターエレメントとは完全にシールされる。従って、ディスクフィルター装置において、ケーシングの内空間と各フィルターエレメントと外表面の間には濾過される液体の溜め部（フィルターの一次側）ともいうべき空間が形成され、フィルターエレメントのハブ内周面とセンターポストの間には、センターポストに沿って濾液の流路空間（フィルターの二次側）というべき中央集液路が形成され、ケーシング内に導入された液体は、各フィルターエレメントで濾過され、この濾液は、中央集液路を通って、ケーシングあるいはセンターポスト内部に形成される濾液の導出口から流出する。
【００１０】
上述の、センターポストに沿って形成される中央集液路としては、いわゆる内流式、外流式あるいは内外流式という方式が取られている（特許文献５［０００２］の記載参照）。
内流式は、中空のセンターポストの内部の管状空間を濾液流路として、濾液の集液路あるいは導出路とする方式（例えば、特許文献１、特許文献２、特許文献４、特許文献８、特許文献９、特許文献１０あるいは特許文献１３など）である。
外流式は、センターポストの外周面、表面と嵌合されたフィルターエレメントのハブの内周面との隙間、間隙を濾液の集液路あるいは導出路とする方式であり、この場合センターポストの断面は、三角形、四角形、六角形などの多角形型あるいはセンターポストの外周面に軸方向のくぼみ、溝を形成したもの（以下、断面異形という）が用いられる（例えば、特許文献１１あるいは特許文献１５図３（b）（c）（d）など）。
内外流式とは、断面異形の中空管状のセンターポストを用いて、濾液が、中空管内およびセンターポストの外周面に沿って並流する方式（特許文献１５図３（a）をいう。）
【００１１】
以上に述べたディスクフィルター装置の技術的問題点は、従来から、ディスクフィルター内での溶融ポリマー（以下、ポリマーという）の滞留あるいは流速分布に基づくポリマーの劣化によるゲル化、ディスクフィルター装置内部（ケーシング内部）のデッドスペースなどであり、このため種々の改良案が提案されてきた。
【００１２】
フィルターエレメントの濾過圧（圧力損失）を調整して流速を均斉化するもの（特許文献１）、フィルターエレメントの半径を小さくして流速を均斉化するもの（特許文献２）、センターポスト端部の傘状の押さえディスクあるいは押さえボルト（締付け部材）の中央に濾過材を設けた第二のポリマー流路を形成するもの（特許文献５）、集液路の断面積を下流に向かって大きくして流速分布を解消し、ゲル化ポリマーの発生を抑止するものするもの（特許文献１０）、濾液の流れを円滑にし、圧力損失を少なくして、均質な濾過を行うために、センターポストの外周面の溝（集液路）の断面積を漸増するもの（特許文献１１）、センターポール（センターポストと同義）の先端のフィルター（エレメント）押さえとセンターポストを一体的に形成してフィルター押さえ部分のポリマーの滞留を解消するもの（特許文献１２）などが提案されている。
【００１３】
一方、特許文献９［０００２］、特許文献１３［０００２］あるいは特許文献１５［０００２］に記述されているように、近時、液晶ディスプレイ、プラズマディスプレイ、有機ＥＬディスプレイあるいはタッチパネルに使用される透明導電フィルム、位相差板、偏光板など用の光学フィルムの需要が増加しており、高度な光学性能を有し、均斉な光学特性を有する各種熱可塑性樹脂からなるいわゆる光学フィルムへの要望が高まっている。
フィルムの光学特性の向上のためには、これまで述べてきたようにフィルム成形時溶融ポリマーを濾過するディスクフィルター装置におけるゲル化物の解消あるいはポリマーの熱履歴あるいは流動の均斉化が不可欠であり、いわゆるフィッシュアイ、ダイラインの改善が求められている。このため、前記特許文献９あるいは特許文献１２には、従来の各種改善策に加えて、内流式中央集液路にいたる濾液の通過孔の形、配列を改善し、ダイラインのない表面平滑性の優れた光学フィルムが得られるディスクフィルター装置あるいはフィルムの製造方法が提案されている。また、特許文献１５には、光学的に良好なフィルムを得るためのアクリル樹脂の濾過方法すなわちセンターポールと押さえディスクとのクリアランスにシールリングを設けたディスクフィルターも提案されている。
【００１４】
ところで、以上詳述の通り、ディスクフィルター装置のセンターポストの機械的機能としては、各フィルターエレメントの同心的位置決め機能、各フィルターエレメントにシール材を介して締付け部材で互いに密着させる締付支持機能および濾液の導出のための中央集液路を形成する機能がある。上述の各特許文献に見られるセンターポストは、このような機能を同時に満足させるために、いわゆる中空管を用いた内流式が主に用いられてきた。この内流式のセンターポストは、それに嵌合されるフィルターエレメントがセンターポストの外周面の全周に亘って保持されるのでフィルターエレメントの支持、保持機能には優れているが、その中央集液路は筒状の単純な形態とならざるを得ないので集液路の形状を必要に応じて適宜変更することはできない。せいぜい、特許文献１０に見られるようにセンターポストの内径をテーパー状に変えられる程度である。
【００１５】
他方、外流式のセンターポストは、その外周面の溝で形成される中央集液路の形状は適宜設計できるものの外周に溝を形成するのでフィルターエレメントの支持、保持機能は低下する。また、中央集液路が多分割され、各部分集液路の濾液（ポリマー）が下流で合流する際に、スジ状の光学的異常が発生するという問題もある。
【００１６】
同出願人は、このスジ状の光学的異常が、ディスクフィルター装置内におけるポリマーの合流部（接合面）がそのまま反映したもの（以下、ウェルドラインという）であることに着目した。このウェルドラインに基づく筋状の光学的異常の発現を防止するためには、中央集液路における濾液の流れを円滑にし、層流的に導出すると同時に集液路分割を最小化する必要がある。外流式のセンターポストにあっては、例えば、センターポストの、フィルターエレメントを保持する柱状部の断面を板状にしてその両端部においてフィルターエレメントのハブと接触するようにして積重ねられる各フィルターエレメントの位置決めをし、かつ、中央集液路を単に二分し、ウェルドラインを一本とすることが考えられる。
【００１７】
しかし、この場合、センターポストの柱状部の断面両端部だけでフィルターエレメントを支持するのでフィルターエレメントの位置決め、支持機能に問題を生ずる恐れもあり、また、センターポストの製作、加工が困難という問題もある。
【００１８】
【特許文献１】特開平９−３８４２３号公報
【特許文献２】特開平９−１５００１８号公報
【特許文献３】特開２００２−２８３３４４号公報
【特許文献４】特開２００２−３０７５２９号公報
【特許文献５】特開２００８−１８５９８号公報
【特許文献６】実開昭６１−８１５号公報
【特許文献７】実開平６−８１６０７号公報
【特許文献８】特開２００４−２３７１７３号公報
【特許文献９】特開平９−１７４６６４号公報
【特許文献１０】特開平９−１２２４０８号公報
【特許文献１１】特開２００３−２６７２１号公報
【特許文献１２】特開２００１−９２１４号公報
【特許文献１３】特開２００３−１７０４８４号公報
【特許文献１４】ＷＯ２００３／０３１５１６号公報
【特許文献１５】特開２００８−１３３４６２号公報
【発明の開示】
【発明が解決しようとする課題】
【００１９】
本発明は上述の問題に鑑みなされたものであり、フィルターエレメントの位置決め、支持機能を損なうことなく、中央集液路の形状を任意に設計でき、その製作、加工が容易なディスクフィルター装置を提供するものであり、詳しくは、ディスクフィルター装置のセンターポストの改良に掛かるものである。
【課題を解決するための手段】
【００２０】
本発明のディスクフィルター装置は、濾液流出口をその内周面に有するハブと円板状の濾材とからなるディスクフィルターエレメントを、ケーシング内部に設けたセンターポストにシール材を介して嵌合して積重ね、積重ねられたフィルターエレメントを一体的に締付けてセンターポストに取付け、ケーシング内に導入される液体をフィルターエレメントで濾過し、濾液をセンターポストに沿って形成される中央集液路に導き、ケーシング外に導出するディスクフィルターにおいて、センターポストを、中空の外筒と外筒に嵌挿される中実の内筒とで構成し、外筒にはハブの濾液流出口に連なる濾液流入孔を形成し、外筒と内筒の間に中央集液路を形成したことを特徴とする。
また、内筒の嵌挿部を、外筒に内接する板状体とし、中央集液路を２分するようになしたもの、この内筒の嵌挿部の濾液導出端側の先端を、ナイフエッジ状となしたもの、内筒の嵌挿部の断面積を濾液導出端に向けて漸減させ、中央集液路の断面積を漸増させるディスクフィルター装置を提供する。
【発明の効果】
【００２１】
本発明においては、センターポストを、外筒とこの外筒に嵌挿される内筒とで構成するので、フィルターエレメントは外筒により確実に保持され、また、中央集液路は外筒内周面と内筒外周面の間に形成され、内筒の外形（あるいは、外径）を変化させることにより、適宜の形状、断面積の中央集液路を形成できる。また、外筒は中空の円筒外周に濾液流出孔を空けた単純な形状で、製作、加工が容易であり、内筒の外形（外径）の加工は容易で任意の形状、断面形状の中央集液路を得ることができる。
【発明を実施するための最良の形態】
【００２２】
以下、本発明の一実施形態を図面に基づき詳細に説明する。
図1は、本発明のディスクフィルター装置の一実施形態の簡略化した模式的縦断面図であり、図２は、図１のディスクフィルター装置のセンターポスト外筒(以下、外筒という)を示す図であり、（ａ）図は外筒の縦断面図、（ｂ）図は（ａ）図のＸ−Ｘ断面図、（ｃ）図は（ａ）図のＡ部分拡大斜視図、図３は図１のディスクフィルター装置のセンターポスト内筒(以下、内筒という)を示す図であり、（ａ）図は縦断面図、（ｂ）図は下面図、（ｃ）図は（ａ）図のＹ−Ｙ断面図である。
【００２３】
図１において、１０は、筒状の収納部を有するケーシングであり、筐体１１と筐体１１にボルト（図示せず）で取り付けられる底板１２とからなり、筐体１１はポリマー導入口１３を有し、底板１２にはポリマー導出口１４が形成される。
【００２４】
２０は、模式的に示した、積重ねられたフィルターエレメントであり、センターポストに嵌合するハブ２１と円板状の濾材２２とからなり、濾材２２で濾過されたポリマーがハブ２１の内周面に形成された濾液の流出口（図示せず）から吐出される。
【００２５】
３０は、センターポストを構成する外筒であり、断面逆Ｔ字状の外形を有し、図２に示すように、筐体１１に嵌着されるフランジ部３１とフィルターエレメント２０のハブ２１が嵌合する中空の柱状部３２からなり、フランジ部３１周縁には、外筒３０を筐体１１に取り付けるボルト（図示せず）用の通し穴３３が所要数設けられる。また、柱状部３２の円周面には、フィルターエレメント２０のハブ２１の流出口に対応する位置に濾液流入孔３４が適宜の間隔を持って多数穿たれている。また、柱状部３２の上端内面には、後述の内筒４０を螺合するための雌ネジ３５が刻まれている。なお、流入孔３４に濾液を導き入れるためには図２（ｃ）に示すように環状の溝３６を形成するのが好ましい。
【００２６】
４０は、外筒３０に嵌挿され、中央集液路を形成する内筒であり、図３に示すように、内筒４０は、外筒３０に座着するフランジ４１、外筒３０の柱状部３２に嵌挿され中央集液路を構成する嵌挿部４２、外筒３０の雌ネジ３５に螺合させる雄ネジ４３および後述の締付け部材６０の雄ねじが螺合する雌ネジ穴４４が切られている。
嵌挿部４２の断面形状は、図３（ｃ）に示すように、両端部で外筒に内接し、中央集液路を二分するような形状であって、その断面積は下に向かって漸減（従って、中央集液路の断面積は漸増）するように形作られる。また、最先端はナイフエッジ状の直線となっている（図３（ｂ）参照）。
【００２７】
５０は、フィルターエレメント２０を締付け、押えるための押えディスクであり、積重なったフィルターエレメントのハブ２１の上端に接し、上面は円錐状に傾斜しており、導入されたポリマーが円滑に流入するガイドの役目も果たしている。また、押さえディスク５０の上面中央には締付け部材６０が座着する円形の座が形成されている。
【００２８】
６０は、締付け部材であり、締付け工具用のヘッド部６１と内筒４０の雌ネジ穴４４に螺合するボルト部６２からなり、押さえディスク５０を介してフィルターエレメント２０のハブ２１を押さえつけ、各フィルターエレメント２０を一体的に締付けるものである。
【００２９】
以上の構成のディスクフィルターの組立てについて説明する。
まず、シール部材（図示せず。パッキン、ガスケット、O-リングなど慣用のものを適宜使用できる）を介して外筒３０に内筒４０を嵌挿し、緊密に螺合する。ついで、シール部材（図示せず。パッキン、ガスケット、O-リングなど慣用のものを適宜使用できる）を介して各フィルターエレメント２０を積重ねて外筒３０に嵌合（遊嵌）し、押さえディスク５０を外筒４０に嵌合（遊嵌。必要に応じてシール部材を用いる）し、締付け部材６０を内筒４０に螺合して押さえディスク５０を介して各フィルターエレメント２０を、外筒３０、すなわち外筒３０と内筒４０からなるセンターポスト（いわば、複合センターポスト）に緊密に固定する。
【００３０】
次いで、このセンターポストとフィルターエレメントの組立て品を一体的にケーシングの筐体１１に取付ける。この際は、適宜のシール部材（図示せず）を介してセンターポストの外筒３０のフランジ部３１を筐体１１のフランジ座に嵌着し、ボルト（図示せず。締付け位置は、図１の一点鎖線で示す）で締付けて固定する。その後、導出口１４を有する底板１２を、適宜のシール部材（図示せず）を介して筐体１１にボルト（図示せず。締付け位置は、図１の一点鎖線で示す）で取付ける。
【００３１】
ポリマーは、導入口１３からディスクフィルターの筐体内に送込まれ、フィルターエレメント２０の濾材２２で濾過され、濾材２２内部に形成された濾液流路（内部流路）を経て、ハブ２１の内周面の濾液の流出口（図示せず）から吐出され、外筒３０の環状の溝３６を介して各流入孔３４に至り、外筒３０と内筒４０で形成される複合のセンターポストの内部に形成される中央集液路に流入して、この中央集液路から導出口１４に導かれ、ケーシング外に流出する。ポリマーの濾過方式は公知の各ディスクフィルター装置と特に異なるところは無い。
【００３２】
ここにおいて、この実施形態のディスクフィルター装置にあっては、中央集液路の導出端において、内筒の嵌挿部の終端がナイフエッジ状にしてあるのでいわゆるウェルドライン（ポリマーの潜在的接合面）は直線状となり、例えば、この直線の方向をフィルム、シート成形のＴダイスリット方向に合わせると、ウェルドラインがフィルムあるいはシートの平面と一致するので成形後ウェルドラインはフィルム表面には発現せず、線状の光学的異常は生じないという効果を発揮する。ここでいうナイフエッジ状とは、先端部が尖っている、あるいは先端部が多少の丸みをおびていてもよい。
【００３３】
本実施形態に示した本発明のディスクフィルター装置は以上の説明から明らかなように、センターポストを、中空の円筒からなる柱状部を有する外筒と、外筒に嵌挿される内筒とで構成したので、各フィルターエレメントは円形外筒に嵌合して安定して支持され、また、内筒の嵌挿部の外形を適宜選択することにより、中央集液路の形態を必要に応じて選択することが出来て且つその製作、加工も容易である。
【００３４】
上の実施形態においては、外筒３０にフランジ３１を設け、この外筒に嵌合した各フィルターエレメントを、押えディスク５０を介して締付け部材６０で一体的に締め付けてセンターポストに取付けたが、本発明のディスクフィルター装置はこのような方式、形態に限らず、例えば、図４に示した実施形態のものも包含する。
【００３５】
以下、図４以下に示した実施形態のものについて説明する。
図４は本発明の他の実施形態の簡略化した模式的縦断面図であり、図５はその外筒の縦断面図、図６は内筒の、部分破断した正面図である。
【００３６】
図において、１００はケーシング、１０１は筐体、１０２は底板であり、１０３はポリマー導入口であり、底板１０２の下面中央には、後述の締付け部材のナット座１０４が形成される。
【００３７】
２００は、模式的に示した、センターポストに積重ねて嵌合され、一体的に締付けられたフィルターエレメントであり、２０１はハブ、２０２はディスク状の濾材を示す。
【００３８】
３００はセンターポストを構成する外筒であり、図５に示すように、フィルターエレメントを押える押えディスクを兼ねるフランジ部３０１と中空の柱状部３０２とからなり、フランジ部３０１の中央には後述の内筒が嵌着する座３０３が形成され、座３０３には内筒を固定する複数のネジ穴３０４が設けられる。３０５は、フィルターエレメントの濾液流出口に対応する位置に形成される濾液の流入孔であり、柱状部３０２の周面に多数穿たれている。この流入孔３０５は、前述の実施形態と同様、環状溝（図２（ｃ）参照）内に設けることも出来る。３０６は、外筒３００をケーシング１００に取付け、固定するための締付け部材であるナット５００が螺合するネジ部であり、外筒３００の下端部に形成される。
【００３９】
４００はセンターポストを構成する内筒であり、外筒３００に取付けるためのヘッド４０１と外筒に嵌挿される嵌挿部４０２を有する。嵌挿部３０１の形態、形状は図３（ａ）、（ｂ）、（ｃ）に示したものと同じであり、説明は省略する。なお、４０３は内筒を外筒３００に取付けるためのボルト（図示せず）用の孔であり、外筒のネジ孔３０４に対応して設けられる。
【００４０】
このディスクフィルター装置の組立ては、まず、外筒３００に内筒４００を嵌挿し、適宜のシール部材（図示せず）を介してボルト（図示せず）で取付け、内筒４００を固定し、複合のセンターポストを構成する。
次いで、適宜のシール部材（図示せず）を介してセンターポストに各フィルターエレメント２００を順次嵌合して積重ね、センターポストすなわちその外筒３００を、ケーシングの底板１０２を貫通して取り付け、締付け部材であるナット５００を適宜の工具、冶具で締め付け、センターポスト（外筒３００および内筒４００）と積重ねられた各フィルターエレメント２００を一体的に底板１０２に取付けた中間組立て品を作る。この際、適宜のシール部材を、最下端のフィルターエレメントのハブと底板との間および／または外筒と底板との間に介在させて緊密に取付け、ポリマーの漏れの無いようにする。
最後に、中間組立て品の底板１０２をケーシングの筐体１０１下面にボルト（図示せず。図４の一点鎖線でボルト位置を示す）で取付ける。
【００４１】
この実施形態のディスクフィルター装置は、図１の実施形態のものとはセンターポストの形態、形状、内外筒の組立て方式、フィルターエレメントの締付け方式およびポリマー導出口の位置などは異なるがポリマーの濾過作用あるいは中央集液路の形状は実質的に変わるところは無いので説明は省略する。
【００４２】
なお、上述の各実施形態のものにおいて、フィルターエレメント自体の詳細の説明、図示は省略したが、フィルターエレメントは背景技術の項で説明した各種公知のディスクフィルターエレメントを使用できる。例えば、円板状のフィルターエレメント３を構成する濾材としては、ワイヤーメッシュ（金属線を織った金網）、その焼結物、金属線製不織布、その焼結物、焼結金属板、多孔質セラミック板、樹脂繊維製不織布、樹脂繊維を織った織布などが挙げられる。中でも、ワイヤーメッシュおよびその焼結物が好ましい。ワイヤーメッシュの織り方は平織、綾織、畳織、綾畳織などが挙げられる。ワイヤーメッシュを構成する金属線の直径は５〜２００μｍ、メッシュの大きさは５〜１００μｍ、中でも１０〜１００μｍのものが好適である。金属線の材質は、ステンレススチール、銅、銅系合金、チタン、チタン系合金などが挙げられる。また、各シール部材の材質、形態などの詳細説明も省略したがシール方式については公知慣用の各種シール方式が採用できる。さらに、センターポストの外筒と内筒との取付け、組立て方式も適宜公知あるいは慣用の機械的組立て方式を使用できるので図示した方式に限られるものでは無い。また、センターポストのケーシングへの取付け方式、フィルターエレメントの締付け方式なども公知あるいは慣用の方式が適用でき、各実施形態のものに限定されない。
【００４３】
また、ケーシング内部形状、中央集液路の形状あるいは外筒、内筒の形状は概略的に示したが、ポリマーの滞留あるいはデッドスペースを解消する意味から角部はすべて面取りあるいは滑らかな曲線状にする必要があり、ポリマーの流入孔などもすべてエッジをなくす必要はある。
【００４４】
さらに、内筒の断面形状を両端部で外筒に内接する、順次厚さが漸減する板状断面とし、先端部がナイフエッジ状のものを説明したが、本発明に係る内筒は図示したものに限らず必要に応じて適宜の形状を取ることができ、濾過条件（温度、圧力、濾過量など）あるいは濾過ポリマーの種類により、中央集液路の形態、形状を最適化するような断面形状を選択することが出来る。
【００４５】
また、各図面においてはディスクフィルター装置のポリマー導入口が上にあるように図示したが、場合によっては、導入口を下に配置して下方から上方にポリマーが導かれてもよく、さらには、必要によってディスクフィルター装置を水平に配置することも出来る。
【００４６】
本発明のディスクフィルター装置に好適に使用されるポリマーとしては、ポリスチレン、ＡＳ樹脂、ＡＢＳ樹脂などのポリスチレン系樹脂、ポリエチレン、ポリプロピレン、環状オレフィンなどのポリオレフィン系樹脂、ポリエチレンテレフタレート、ポリブチレンテレフタレートなどのポリエステル系樹脂、ナイロン６、ナイロン６６、ナイロン１２、ＭＸＤナイロンなどのポリアミド系樹脂、アクリル系樹脂、ポリカーボネート系樹脂、ポリアセタール系樹脂、ポリフェニレンエーテル系樹脂、ポリスルホン、ポリイミドなどが挙げられる。熱可塑性樹脂は、これら例示されたものに限定されるものではない。
【産業上の利用可能性】
【００４７】
本発明のディスクフィルター装置は各種液体の濾過に使用できるが、特に粘調な液体の高温、高圧濾過に最適であり、各種溶融ポリマーの濾過に適用できる。
【図面の簡単な説明】
【００４８】
【図１】本発明のディスクフィルター装置の一実施形態の簡略化した模式的縦断面図。
【図２】図１のディスクフィルター装置のセンターポスト外筒を示す図であり、（ａ）図は外筒の縦断面図、（ｂ）図は（ａ）図のＸ−Ｘ断面図、（ｃ）図は（ａ）図のＡ部分拡大斜視図。
【図３】図１のディスクフィルター装置のセンターポスト内筒を示す図であり、（ａ）図は縦断面図、（ｂ）図は下面図、（ｃ）図は（ａ）図のＹ−Ｙ断面図。
【図４】本発明の他の実施形態の簡略化した模式的縦断面図。
【図５】図４のものの外筒の縦断面図。
【図６】図４のものの内筒の部分破断した正面図。
【符号の説明】
【００４９】
１０    ケーシング
１１    筐体
１２    底板
１３    ポリマー導入口
１４    ポリマー導出口
２０    フィルターエレメント
２１    ハブ
２２    濾材
３０    外筒
４０    内筒
５０    押えディスク
６０    締付け部材
１００  ケーシング
１０１  筐体
１０２  底板
１０３  ナット座
２００  フィルターエレメント
２０１  ハブ
２０２  濾材
３００  外筒
３０１  フランジ部
４００  内筒
５００  ナット
【図１】
2010125364.tif 000003
【図２】
2010125364.tif 000004
【図３】
2010125364.tif 000005
【図４】
2010125364.tif 000006
【図５】
2010125364.tif 000007
【図６】
2010125364.tif 000008